Podtech/llm-jp-corpus-v4-ja_patent huggingface dataset:
(57)【要約】      （修正有）【課題】透明板、本抑え板を備えた本置台とそれを保持する折りたたみ式腕及び、伸縮可能な支柱を具備し、床の上に設置するかまたは、ベッドの手すりに取付け仰臥した状態で読書することが出来る書見台を提供する。【解決手段】本７を載せる透明板４−１及び、本７を保持する本抑え板４−４を具備した本置台４の向きが調整できる自在金具４−３と連結金具４−２を介して折りたたみ可能な腕３に連結し、その腕３を支える伸縮可能且つ、水平回転可能な下部支柱２−１、上部支柱２−２に台座を取付けることにより畳の上または、床の上に設置することが出来、取付け金具５を用いることによりベッドの手すり６に取り付けて仰臥状態で読書ができる。【選択図】図１
0003215582.tif 000002
【実用新案登録請求の範囲】
【請求項１】
本を設置するための透明板および本を固定するための本抑え板を備えた本置台と、この本置台を保持する腕とこの腕が取り付けられている支柱とを具備することを手段とする仰臥した状態で読書することが出来る書見台。
【請求項２】
請求項１において、本置台を読書に適した位置に容易に調整することが出来、使用しないときはコンパクトに収納することが出来る折り畳み式腕を備えている書見台。
【請求項３】
請求項１〜２において、床または布団の上で仰臥した状態で使用する場合、床または畳に設置するための台座を備えた書見台。
【請求項４】
請求項１〜２において、ベッドに仰臥した状態で使用する場合、ベッドに取り付けるためのベッド取付け具を備えた書見台。
【考案の詳細な説明】
【技術分野】
【０００１】
本考案は、仰臥した状態で読書するための書見台に関する。
【背景技術】
【０００２】
従来の仰臥状態で使用する書見台は、本を乗せる本置台を備え、この本置台を支える支柱及び棒状の支持竿で構成されるものがある。
【先行技術文献】
【特許文献】
【０００３】
【特許文献１】実願平６−４８４２８  公報
【考案の概要】
【考案が解決しようとする課題】
【０００４】
従来の書見台はページが本置台に密着しないので文字が読みにくく、かつ、本を載せただけなので落下することがある。本置台を支持する棒状の腕木は任意の方向に動かないので本置き台の位置調整が容易でない。書見台を使わないとき畳めないので邪魔になりまた、ベッドで使用するときも床に設置するので高い支柱が必要となる。
【課題を解決するための手段】
【０００５】
本考案の書見台は、本を設置するための透明板および本を固定するための本抑え板を備えた本置台と、この本置台を保持する腕とこの腕が取り付けられている支柱とを具備することを手段とし、本置台を読書に適した位置に容易に調整可能で、使用しないときはコンパクトに収納することが出来る折り畳み式腕を備え、床または布団の上で仰臥した状態で使用する場合、床または畳に設置するための台座を備え、ベッドに仰臥した状態で使用する場合、ベッドに取り付けるためのベッド取付け具を備えていて仰臥した状態で読書することが出来る。
【考案の効果】
【０００６】
本考案を使用することにより容易に本の位置を調整することが出来また、本を本置台に迅速且つ、確実に固定することが出来る。この書見台の設置環境は畳及びベッドで使用することが出来また、不使用時にコンパクトに片付けることが出来る。
【図面の簡単な説明】
【０００７】
【図１】書見台の使用時の全体図である。
【図２】書見台を折り畳んだ状態の側面図である。
【図３】本置台の平面、正面及び側面の詳細図である。
【考案を実施するための形態】
【０００８】
書見台において、支柱を回転・昇降及び、腕を伸ばして本置台を仰臥している人の頭の上方位置に合わせ、本を本置き台の透明板と本抑え板の間に挿入し設置する。人は本置台の透明板を通して下方から本を読む。本のページをめくるときは、本を本置台から下方に引き出してページをめくり、その後前記同様の手順で本を本置台に置く。書見台を床の上に設置するときは台座を取付けて使用し、ベッドで読書するときはベッドの手すりにベッド取付け具を取り付けて使用する。
【実施例】
【０００９】
以下、添付図面に従って実施例を説明する。図１(a)は、使用時の全体図で、書見台を床に置いた状態である。台座１は、下部支柱２−１に取付け・取り外しができ、下部支柱２−１と上部支柱２−２は嵌合し伸縮・水平回転が出来き、折り畳み可能な腕３を支える。本置台４は、自在金具４−３を介して腕３に取り付けられ、角度と向きを自由な方向に調節することが出来る。人８は本置台４の下方に仰臥して読書する。図１（b）は、ベッド取付け具を下部支柱２−１に取り付けた図である。ベッド取付け具５を用いて下部支柱２−１をベッドの手すり６に取り付けることが出来る。
【００１０】
図２は、書見台を折り畳んだ状態の側面図である。折り畳み式の腕３は下部支柱２−１、上部支柱２−２に沿って折り畳まれ、下部支柱２−１、上部支柱２−２は水平回転及び、伸縮可能で書見台を使用しないときはコンパクトに折りたたむことが出来る。
【００１１】
図３(a)は、本置台４の平面詳細図、図３(b)は、本置台４の側面詳細図、図３（ｃ）は正面詳細図である。本置台４は、透明板４−１と連結金具４−２、自在継手４−３及び、本抑え板４−４から構成され、本７が透明板４−１の上に置かれ可撓性の本抑え板４−２で透明板４−１に適度の力で密着される。本７のページをめくるときは、本置台４から本７を本置台４の下方に引き出してページをめくり、再度、本７を上記の順で設置する。本置台４は連結金具４−２と自在金具４−３を介して腕３に吊り下げられ、本７の向きを任意の方向に調節することが出来る。
【符号の説明】
【００１２】
１          台座
２−１      下部支柱              
２−２      上部支柱      
３          腕     
４          本置台
４−１      透明板
４−２      連結金具      
４−３      自在継手
４−４      本抑え板
５          ベッド取付け具
６          ベッドの手すり
７          本
８          人
【図１】
0003215582.tif 000003
【図２】
0003215582.tif 000004
【図３】
0003215582.tif 000005
(57)【要約】      （修正有）【課題】コインの挿入、取出しのためのコイン挿入・取出し口のコイン脱落防止用の保持機構を簡素化したコインホルダーを提供する。【解決手段】コイン収容体を、コイン収容体を挟む形で表カバー２と裏カバーをダボおよびダボ穴により固着して構成する。コイン収容体自体を伸縮性のある部材とし、かつ挿入・取出し口５のコイン直径方向の幅を、収容するコインの直径より小さい幅にて形成することにより、コインの保持機構を簡素化する。【選択図】図２
0003215510.tif 000002
【実用新案登録請求の範囲】
【請求項１】
複数の種類のコインを、種類別に収容出来るコインホルダーにおいて、合成樹脂又はゴム又はスポンジ等、伸縮性を有する部材でなるコイン収容体１を挟む形態で、凹状の切り欠き部を有する表カバー２と、コインの抜け落ち防止用の裏カバー３を、ダボ６をダボ穴７にはめ込むことで固着して設け、前記コイン収容体１に、コインを挿入し、又は取出しを行うための挿入・取出し口５を設けてなり、コインが抜け落ちるのを防止するために、挿入・取出し口５のコイン直径方向の幅を、収容するコインの直径より小さい幅として構成し、コイン挿入時は前記挿入・取出し口５が前記コイン収容体１の伸縮性により広がり、コインが挿入取出し口５を通過後は収縮して元のサイズに戻ることにより、コインが保持され、抜け落ちないように構成されてなることを特徴とするコインホルダー。
【請求項２】
請求項１のコイン収容体１を挟んで、請求項１の表カバー２と請求項１の裏カバー３を接着剤により、前記コイン収容体１に貼り付け固着されてなることを特徴とする請求項１のコインホルダー。
【考案の詳細な説明】
【技術分野】
【０００１】  本考案は、複数の種類のコイン（硬貨）を、種類別に収容出来るコインホルダーに関する。
【背景技術】
【０００２】  従来は、コイン収容部からコインが脱落するのを防止するために、コインの挿脱部の幅をコインの直径以下の幅にて形成してなるコイン保持機構を設けて、コインの脱落防止を図っているが、機構が幾分複雑である。
【先行技術文献】
【０００３】
【特許文献】
【０００４】
【特許文献１】特開：２０１５−０１３１０５号  コインホルダー  馬渕  平道
【特許文献２】特開：２０１４−２３３４６７号  コインホルダー  宮本伸一
【非特許文献】
【０００５】
【非特許文献１】有限会社ファルコン  コインホルダー販売サイト
【考案の概要】
【考案が解決しようとする課題】
【０００６】  コインの挿脱部のコイン保持機構の代わりに、コイン収容体自体を伸縮性のある部材で構成することで簡素化し、コインホルダーの小型化、携行の利便性を図り、合わせて原価の低減を見込む。
【課題を解決するための手段】
【０００７】  上記目的を達成するために、本考案は伸縮機構によってコインを保持する代わりに、コイン収容体自体を、伸縮性を有する部材にて形成してコイン保持機構の簡素化を図る。
【考案の効果】
【０００８】    コインホルダーのサイズが小型となり携行の利便性が向上し、また原価の低減が見込まれる。
【図面の簡単な説明】
【０００９】
【図１】本考案を実施するための平面図
【図２】本考案を実施するための正面図
【図３】本考案を実施するための側断面図
【図４】本考案を実施するための部品正面図（表カバー）
【図５】上記の側断面図
【図６】本考案を実施するための部品正面図（コイン収容体）
【図７】上記の側断面図
【図８】本考案を実施するための部品正面図（裏カバー）
【図９】上記の側面図
【考案を実施するための最良の形態】
【００１０】  以下、図面により、実施するための本考案を説明する。
図１、図２、図３は本考案のコインホルダーの平面図、正面図、側断面図であり、コインを収容するコイン収容体１に概コイン収容体１を挟む形態で固着される表カバー２と裏カバー３で構成される。
図４、図５は表カバー２の正面図と側断面図、図６、図７はコイン収容体１の正面図と側断面図で図７、図８は裏カバー３の正面図と側面図である。
コイン収容体１は、コイン収容部４と、コイン８を挿入したり取り出したりするための挿入・取出し口５およびダボ６を通すための貫通穴９からなる。
表カバー２は、コインの種類を見分けるための開口の役割およびコインを押し出すための役割をなす切欠き部１０と、コイン収容体１を挟んで、裏カバー３のダボ穴７に差し込み固着するためのダボ６からなる。
裏カバー３は表カバー２のダボ６をはめ込むためのダボ穴７を設けてなる。
【考案を実施するための異なる形態】
【００１１】  コイン収容体１を挟んで、表カバー２のダボ６を裏カバー３のダボ穴７に差し込み固着する手段の代わりに、コイン収容体１を挟んで、表カバー２と裏カバー３を接着剤で貼り合わせてなる形態とする。
【符号の説明】
【００１２】  １：コイン収容体
２：表カバー
３：裏カバー
４：コイン収容部
５：挿入・取出し口
６：ダボ
７：ダボ穴
８：コイン
９：貫通穴
１０：切欠き部
【図１】
0003215510.tif 000003
【図２】
0003215510.tif 000004
【図３】
0003215510.tif 000005
【図４】
0003215510.tif 000006
【図５】
0003215510.tif 000007
【図６】
0003215510.tif 000008
【図７】
0003215510.tif 000009
【図８】
0003215510.tif 000010
【図９】
0003215510.tif 000011
(57)【要約】      （修正有）【課題】撮った写真を撮影した時点で分類して保存できるデジタルカメラや携帯電話を提供する。【解決手段】デジタルカメラ１にＳＤメモリ−カ−ド挿入口２を２つ以上の複数つける。その挿入口２にＳＤメモリ−カ−ド３を挿入する。ＳＤ−メモリ−カ−ド３の１枚１枚に名前をつけ、アイコンとして表示させ、撮った写真をどのＳＤメモリ−カ−ド３に保存するか、アイコンを選択して決めて分類しながら保存する。【選択図】図１
0003215501.tif 000002
【実用新案登録請求の範囲】
【請求項１】
デジタルカメラや携帯電話のメモリ−カ−ド挿入口を複数作り挿入口の数だけＳＤメモリ−カ−ドを挿入することができ、ホ−ム画面上にＳＤメモリ−カ−ド１枚１枚に名前をつけたアイコンを表示させ、そのアイコンを選択し、写真をＳＤ−メモリ−カ−ドの数だけ分類して保存することができることを特徴とした、ＳＤメモリ−カ−ドを複数枚入れられるデジタルカメラ及び携帯電話。
【考案の詳細な説明】
【技術分野】
【０００１】本考案は、メモリ−カ−ドが複数枚入れられるデジタルカメラ及び携帯電話に関するものである。
【背景技術】
【０００２】従来のデジタルカメラや携帯電話は、ＳＤメモリ−カ−ドが１枚だけ入れられるものである。
【考案の概要】
【考案が解決しようとする課題】
【０００３】デジタルカメラや、携帯電話で撮った写真をシ−ンごとの写真を複数に分けて保存する。
【課題を解決するための手段】
【０００４】本考案は、デジタルカメラや携帯電話に２枚〜３枚入れて写真の種類別にカ−ドの保存先を変える。
【考案の効果】
【０００５】従来のデジタルカメラや携帯電話は、１枚のＳＤメモリ−カ−ドに、家族関連、友人関連、仕事関連等と全てごちゃまぜで保存されていた。後々に、スライドショ−とか、メ−ル等に使う時にごちゃまぜの中から探さなければならなかった。家族関連、と友人関連だけでも分けたＳＤメモリ−カ−ドがあれば手際よく目的の写真を捜し出すことができる。
【図面の簡単な説明】
【０００６】
【図１】デジタルカメラにＳＤカ−ドを２枚入れた図
【図２】ホ−ム画面に家族、友人のアイコンが表示されたところ
【考案を実施するための形態】
【０００７】デジタルカメラや携帯電話のメモリ−カ−ド挿入口を２つ作り２枚のメモリ−カ−ドを挿入する。設定のところから前記メモリ−カ−ドに１枚１枚に家族とか、友人とか名前を付ける。
【０００８】ホ−ム画面または、設定画面に保存場所が選べるアイコン、例えば家族、友人とかのアイコンが表示され、撮影前後にタップで選べるようにする。
【実施例】
【０００９】以下添付図に従って、一実施例を説明する。［図１］の１は、デジタルカメラ本体であり、２は２つの挿入口に２枚のＳＤメモリ−カ−ドを入れようとしたところである。【００１０】［図２］の３は、ホ−ム画面に２枚のＳＤカ−ド１枚１枚に名前をつけた、アイコンが表示されたものである。撮影の前後に２つのうちどちらに写真を保存するか選択できるようになっている。急に撮った場合は、２枚のうちのどちらかに優先的に保存される。または、本体に保存され後で、場所の保存を変えることもできる。
【符号の説明】
【００１１】１  デジタルカメラ本体
２  ＳＤメモリ−カ−ド２枚を入れるための、２つの挿入口
３  ２つの挿入口に入れるＳＤメモリ−カ−ド
４  デジタルカメラのホ−ム画面におけるＳＤメモリ−カ−ド１つ１つの名前を表示する    アイコン
【図１】
0003215501.tif 000003
【図２】
0003215501.tif 000004
(57)【要約】      （修正有）【課題】人々の生活を効率的に進行する手助けをするＴｏＤｏリストを提供する。【解決手段】メモ帳本体に、日付・曜日欄４、仕事用の欄２（仕事用ＴｏＤｏリスト）、家事用の欄３（家事用ＴｏＤｏリスト）、朝から夜までのタイムスケジュール欄５、買い物リスト欄６、献立メモ欄７を設ける。仕事用の欄（仕事用ＴｏＤｏリスト）と、家事用の欄（家事用ＴｏＤｏリスト）を設けることで、タスクを内容別に分類してリスト化し、一目でわかりやすくすることで、１日の作業効率を上げて運営をスムースにできる。また、タイムスケジュール欄、買い物リスト欄、献立メモ欄を設けて、何時にやらなければならないのかを明記したり、買い忘れの防止をしたり、献立作成の手助けをすることで、仕事人であり生活人である人々の生活を効率的に進行する手助けをし、スムースな１日の運営に役立つ。【選択図】図１
0003215508.tif 000002
【実用新案登録請求の範囲】
【請求項１】
１日の行動を仕事用の欄と家事用の欄に分け、分割してタスクをリスト化し、各タスクごとにチェックボックスを設けたＴｏＤｏリスト。
【請求項２】
前記仕事用の欄と、前記家事用の欄に加えて、タイムスケジュールを並列表記して、タスクをリスト化し、時間との兼ね合いも記した請求項１記載のＴｏＤｏリスト。
【請求項３】
前記仕事用の欄と、前記家事用の欄、前記タイムスケジュールに加えて、買い物リスト欄を表記し、タスクをリスト化した請求項２記載のＴｏＤｏリスト。
【請求項４】
前記仕事用の欄と、前記家事用の欄、前記タイムスケジュール、前記買い物リスト欄に加えて、献立メモ欄を表記し、タスクをリスト化した請求項３記載のＴｏＤｏリスト。
【請求項５】
紙面の上段左上に日付曜日欄を配置し、紙面中段の左側にタイムスケジュール欄、紙面中段の真ん中に仕事用の欄、紙面中段の右側に家事用の欄、紙面最下段の左側に買い物リスト、紙面最下段の右側に献立メモ欄をレイアウトし、デザインしたＴｏＤｏリスト。
【考案の詳細な説明】
【技術分野】
【０００１】  本考案は、やらなければいけないことのメモであるＴｏＤｏリストを、生活のシチュエーションごと、内容別に分類することで、何をいつ達成せねばならないかがひとめでわかるようにし、効率性を図り利便性を追求した、メモ帳に関するものである。
【背景技術】
【０００２】  ＴｏＤｏリストはチェックボックスが付いた罫線が並ぶだけのものであり、やることの内容は多岐にわたるのにも関わらず、すべて混在して１行で書かれていた。【０００３】
【特許文献１】実登  ３１７４２７２号
【特許文献２】実開平  ７−３７６６３
【０００４】
【考案の概要】
【考案が解決しようとする課題】
【０００５】  現代人の多くが仕事人、かつ家庭人であり、やることが多岐にわたる中、それを助けるＴｏＤｏリストが一列では、やることの内容が全て混在して表記されてしまい、頭の整理がしづらく、利用者にとって不便である。従って、やることのリストを内容別に分けることにより、どの分野において何をやらなければならないかを明快に示し、効率性を向上することで、現代人の１日の生活をスムースに運行できるよう、解決しようとするものである。
【課題を解決するための手段】
【０００６】  本考案は、メモ帳本体にＴｏＤｏリストを設け、さらに仕事用の欄、家事用の欄に分けて表記することで、仕事のやることと家事や家族のためにやることを分けて書くことができるため、頭の整理ができ、効率的な行動を助け、日々の忙しさを解決へと導くものである。また、タイムスケジュールの併記でいつやらなければいけないかをわかりやすくし、買い物リストで買い忘れの防止を図り、献立メモ欄で食事作りの負担を助け、人々の１日の生活をスムースに運行できるよう、解決へと導くものである。
【考案の効果】
【０００７】  上記のように、本考案の内容別分類型ＴｏＤｏリストは、メモ帳本体に仕事用の欄、家事用の欄に分割したＴｏＤｏリストを設けるのはもちろん、タイムスケジュール、買い物リスト、献立欄を設けることで、人々の生活に必要なタスク全体にわたって、整理しながらリスト化、メモをすることができ、人々の生活を効率的に進行する手助けをし、スムースな１日の運営に役立つ。
【図面の簡単な説明】
【０００８】
【図１】本考案の内容別分類型ＴｏＤｏリストの一実施例を示す正面図である。
【考案を実施するための形態】
【０００９】  ５０ページにわたるメモ帳に、日付曜日欄、仕事用の欄、家事用の欄、朝から夜までのタイムスケジュール欄、買い物リスト欄、献立メモ欄を設けたものである。
【実施例】
【００１０】  ▲１▼はＴｏＤｏリスト紙面全体を示し、▲２▼は仕事用の欄（仕事用ＴｏＤｏリスト）、▲３▼は家事用の欄（家事用ＴｏＤｏリスト）、▲４▼は日づけ・曜日欄、▲５▼はタイムスケジュール欄、▲６▼は買い物リスト欄、▲７▼は献立メモ欄を設けた。
▲２▼仕事用の欄、▲３▼家事用の欄、▲６▼買い物リスト欄には、罫線と▲８▼のチェックボックスを設けた。まず罫線内に本日やらなければいけないことをメモし、その課題が終了したら▲８▼のチェックボックスにチェックを入れたりメモ自体を消して、完了の印とする。▲５▼のタイムスケジュール欄は６時から２４時を一列で表記、何時にどの用事をこなさねばならないかをメモする。▲７▼の献立メモ欄はフリースペースとし、絵や字で自由にメモをして、献立作りのイメージを固めるものとする。
紙面の上段左上に▲４▼日づけ・曜日欄を配置し、紙面中段の左側に▲５▼タイムスケジュール欄、紙面中段の真ん中に▲２▼仕事用の欄、紙面中段の右側に▲３▼家事用の欄、紙面最下段の左側に▲６▼買い物リスト欄、紙面最下段の右側に▲７▼献立メモ欄をレイアウトし、デザインしたメモ帳。
【符号の説明】
【００１１】▲１▼  ＴｏＤｏリスト紙面全体
▲２▼  仕事用の欄（仕事用ＴｏＤｏリスト）
▲３▼  家事用の欄（家事用ＴｏＤｏリスト）
▲４▼  日づけ・曜日欄
▲５▼  タイムスケジュール欄
▲６▼  買い物リスト欄
▲７▼  献立メモ欄
▲８▼  チェックボックス
【図１】
0003215508.tif 000003
(57)【要約】      （修正有）【課題】コンクリートのスランプ試験装置において、強度にすぐれ、軽量で持ち運びが容易なスランプ台板を提供する。【解決手段】スランプ台板に７０００番台の高強度アルミ合金を使用する。引っ張りや折り曲げに対して鋼製と同等の強さを有し、軽量性に優れる。【選択図】図１
0003217809.tif 000002
【実用新案登録請求の範囲】
【請求項１】
スランプコーンを置くためのスランプ台板からなる。スランプ台板には鋼製のスランプ台板と同じ強度の高強度アルミ合金を使用し軽量性が特徴とする。
【請求項２】
７０００番台のアルミ合金を使用した請求項１に記載のスランプ台板。
【考案の詳細な説明】
【技術分野】
【０００１】  本考案はコンクリートのスランプ試験用高強度アルミ合金製スランプ台板に関するものである。
【背景技術】
【０００２】  コンクリートは圧縮には強いが引張りには弱い（脆い）という性質があります。そのためそれをカバーするために引張や伸びに強い鉄筋と組み合わせて使用しているのですが、生コンクリートを施工の際、型枠の隅々や鉄筋の周囲にいきわたるのが望ましいが、軟すぎるとひび割れなどの原因になったり強度が出なかったりします。近年、コンクリート構造物の形の複雑化や鉄筋量の増加など、コンクリートを密実に充填することが困難となり技術を要する。固練りでも軟練りでもよくないのでコンクリートの性質を十分に発揮できるように、国土交通省が現場でのコンクリートのスランプ試験を用いる事を義務づけている。流動性・作業精度の高いコンクリートが要求されるため、スランプ試験装置によりコンクリートの軟らかさを測定している。【０００３】  従来のスランプ試験装置は、縦横が６０×６０ｃｍの鋼製のスランプ台板と、ハート型の台座に目盛付支柱を取り付け、目盛付支柱に水平バーを上下移動可能に設けたスランプ検尺と、鋼製の上部内径１０ｃｍ、下部内径２０ｃｍ、高さ３０ｃｍの円筒のスランプコーンで構成されている。鋼製スランプ台板の上にスランプコーンを置き、その中に生コンクリートを３層に詰め、垂直上にスランプコーンを抜き取り、コンクリート頂部の高さが何ｃｍ下がったかを測定する、コンクリートの高さを測定する際に、検尺の水平バーを上下させ目盛を読み取り高さを割り出し、生コンクリート流動性を測ります。
【考案の概要】
【考案が解決しようとする課題】
【０００４】  しかしながら、従来のスランプ試験装置用鋼製の台板だと重量があり持ち運びに困難が伴うと言う欠点があった。
【課題を解決するための手段】
【０００５】  本考案は、スランプ試験器装置用スランプ台板において、上記の目的を達成したものである。スランプ試験器装置のスランプ台板は高強度アルミ合金を使い軽量で強度が鋼製と同じ特徴とする。
【考案の効果】
【０００６】  以上の説明から明らかなように、本考案に係わるスランプ台板は高強度アルミ合金を採用しているので軽量化をはかることができ、実用性に優れたスランプ台板を使用することができる。
【図面の簡単な説明】
【０００７】
【図１】本考案に係わるスランプ台板の概略図である。
【考案を実施するための形態】
【０００８】  以下、本考案の実施の形態を図に基づいて説明する。
【産業上の利用可能性】
【０００９】  本考案は、コンクリートを製造する産業で利用される。
【符号の説明】
【００１０】１  高強度アルミ合金製スランプ台板
２  折りたたみ機能付取って
【図１】
0003217809.tif 000003
【手続補正書】
【提出日】平成30年6月15日(2018.6.15)
【手続補正１】
【補正対象書類名】実用新案登録請求の範囲
【補正対象項目名】全文
【補正方法】変更
【補正の内容】
【実用新案登録請求の範囲】
【請求項１】
スランプ台板と台座に目盛付支柱を取り付け、目盛付支柱に水平バーを上下移動可能に設けたスランプ検尺と、鋼製の上部内径１０ｃｍ、下部内径２０ｃｍ、高さ３０ｃｍの円筒のスランプコーンで構成され、スランプ台板には鋼製のスランプ台板と同じ強度のアルミを使用し軽量性が特徴とする、コンクリートのスランプ試験用高強度アルミ合金製スランプ台板。
【請求項２】
７０００番台のアルミ合金を使用した請求項１に記載のコンクリートのスランプ試験用高強度アルミ合金製スランプ台板。
(57)【要約】      （修正有）【課題】狭部店舗に多量の製品を展示販売できる伸縮ハンガーを提供する。【解決手段】アルミ製伸縮パイプの上部に取り付け可能に加工したハンガーと組み合わせ伸縮パイプと一体化した。【選択図】図１
0003217807.tif 000002
【実用新案登録請求の範囲】
【請求項１】
上部空間を利用してアルミ製伸縮パイプに多連のハンガーを付属させ峡部店舗に多量の製品を展示販売。
【考案の詳細な説明】
【技術分野】
【０００１】
本考案はアルミ製伸縮パイプを利用のハンガーに関するものである。
【背景技術】
【０００２】
都会で出店を行う場合1坪の広さの権利金でも莫大である。増して商品の仕入れ、展示費用を考慮すると商品を考案、開発販売しようにも並大抵の人の手に届く範囲をを超えて諦めせざるを得ない。本考案は展示スペースが狭くても大量の展示が行える方法を提供するものである。
【考案の概要】
【考案が解決しようとする課題】
【０００３】
1坪の空間で多量の製品販売。
【課題を解決するための手段】
【０００４】
1坪の店舗の上部空間を利用しての製品の展示販売。
【考案の効果】
【０００５】
伸縮パイプの操作でハンガーに付属の製品の着脱販売。
【図面の簡単な説明】
【０００６】
【図１】本考案の実施例を示した図である。
【図２】天井に板を渡し本考案を設置した実施形態図である。
【図３】本考案の伸縮パイプを縮め天井板に設置した実施形態図である。
【図４】本考案のフックを使用して本考案を設置した実施形態図である。
【図５】本考案の多連ハンガーを上下に取り付けた実施形態図である。
【図６】本考案付属の多連ハンガーの概要図である。
【考案を実施するための形態】
【０００７】
店舗の空き空間の利用手段を模索する必要がある。天井の利用方法、その他の空き空間。
【実施例】
【０００８】
図１は本考案を実施した図である。
【符号の説明】
【０００９】
１アルミ製伸縮パイプ、２アルミ製伸縮パイプ操作レバー、回転させて伸縮操作３、アルミ製伸縮パイプ操作カバー４、操作カバー脱落防止及び下部ハンガー取り付け保護具５、上部取り付けハンガー、5-1、ヒートン、５−２、カニカン付きストラップ、５−３、洗濯ピッチ６、上部取り付けハンガー用リング７、ボルト留めナット８、ホック９、ボルト１０、ボルトカバー１１、天井板１２、床
【図１】
0003217807.tif 000003
【図２】
0003217807.tif 000004
【図３】
0003217807.tif 000005
【図４】
0003217807.tif 000006
【図５】
0003217807.tif 000007
【図６】
0003217807.tif 000008
【手続補正書】
【提出日】平成30年3月30日(2018.3.30)
【手続補正１】
【補正対象書類名】実用新案登録請求の範囲
【補正対象項目名】全文
【補正方法】変更
【補正の内容】
【実用新案登録請求の範囲】
【請求項１】
アルミ製伸縮パイプの上部に取り付け可能に加工したハンガーと組み合わせ伸縮ハンガーとした。
【手続補正書】
【提出日】平成30年7月5日(2018.7.5)
【手続補正１】
【補正対象書類名】実用新案登録請求の範囲
【補正対象項目名】全文
【補正方法】変更
【補正の内容】
【実用新案登録請求の範囲】
【請求項１】
アルミ製伸縮パイプの上部に取り付け可能に加工したハンガーと組み合わせ伸縮パイプと一体化したことを特徴する伸縮ハンガー。
(57)【要約】      （修正有）【課題】汁気を伴わない固形状の食品であれば、場所や時を考慮せず片手で食べることができる固形状の食品入りの袋を提供する。【解決手段】長方形の袋１に密封された汁気を伴わない固形状の食品２を、袋１の下部を押すことで外へと押し出して、箸やフォーク等を使用せず食べることができる。【選択図】図１
0003217855.tif 000002
【実用新案登録請求の範囲】
【請求項１】
袋内に、汁気を伴わない固形状の食品を収容し、
前記固形状の食品が前記袋に密封されており、
袋の開封後は、袋の下部を押すことで開封口より袋外に押し出し、固形状の食品を食べることができる固形状の食品入りの袋。
【考案の詳細な説明】
【技術分野】
【０００１】
本考案は、片手で簡単に且つ、何処でも固形状の食品を食べることができる袋に関するものである。
【背景技術】
【０００２】
サンドウィッチやおにぎりなど、箸やフォーク等の食器を使用せずとも食事ができる料理はピクニックや散歩のお弁当の定番となっている。また、揚げ物は容器や包み紙などを使用すれば、竹串あるいは包み紙を手に持つことで食べ歩きをすることができるため、大型テーマパークなどでは前記の料理を含めた数多くの料理が食べ歩き用として販売されている。
【考案の概要】
【考案が解決しようとする課題】
【０００３】
しかしながら、焼きそばやパスタなどの麺類をはじめとして、露店や移動販売車による料理の提供や汁気を伴わない料理は多く、それらは箸またはフォーク等を用いて食べることが常であり、何らかの動作の片手間に食べる、あるいは腰を落ち着けて食事ができる場所が無い場合が考慮されていない。
本考案は上記事情に鑑み、汁気を伴わない固形状の食品であれば、場所や時を考慮せず片手で食べることができる固形状の食品入りの袋を提供することを目的とする。
【課題を解決するための手段】
【０００４】
本考案は、袋内に、汁気を伴わない固形状の食品を収容し、前記固形状の食品が前記袋に密封されており、袋の開封後は、袋の下部を押すことで開封口より袋外に押し出し、固形状の食品を食べることができる固形状の食品入りの袋を提供することを目的とする。
【考案の効果】
【０００５】
縦長で、且つ、片手に収まるような大きさの袋とすることで、コンパクトにまとめることができるため移動の際に邪魔にならず、子供の手であっても簡単に中身を食べることができる。また、袋の下部を押すと中に封入された食品が上へ押し出されることにより、手を汚すことなく箸やフォーク等を使わず食べることができる。
【図面の簡単な説明】
【０００６】
【図１】本考案における、全体の斜視図である。
【図２】開封した袋から中の食品を押し出している際の概略図である。
【考案を実施するための形態】
【０００７】
以下、本考案の実施形態例を図面に基づいて説明する。なお、上下とは図１の上下方向と同様とする。
図１に示すように、汁気を伴わない固形状の食品２は長方形の袋１の中に密封されている。本実施形態例における袋１の大きさは横７ｃｍ程度、縦１８ｃｍ程度で、食品２を詰める内部の空間は横５ｃｍ程度、縦１３ｃｍ程度である。袋の下部には、ホームベース型の切り込み口３が設けられており、開封する際は前記切り込み口３の上下を左右にねじることで袋１のまちに切り込みが入り、切り込みがそのまま袋１を横断すると開封する。その後、袋１に設けられた開封口４よりやや突出した固形状の食品２をそのまま口に入れることができる。
【０００８】
袋の材質は、強靭性と柔軟性を兼ね備えており、食品の劣化を防ぐためガス不透過性のフィルムとするのが好ましい。例えば、ナイロンとポリエチレンの複合フィルムであるナイロンポリなどである。
【０００９】
上記の構成とした袋１と汁気を伴わない固形状の食品２であれば、箸やフォーク等の食器を使わず、また手を汚さずに中の食品２を食べることができる。加えて、袋１の大きさを本実施形態例で示した程度のものとすれば、片手のみで袋１を保持することが可能である。
中に詰めた食品２は食べ進めていくと袋１から取り出しづらくなるが、図２に示すように袋１の下部を中指〜小指で軽く握り、親指と人差し指で袋１の両面を押すと、下に残った食品２を開封口４まで押し上げることができるため、袋１を縦に裂いて中身を取り出さずとも食品２を残さず食べることができる。
【００１０】
上記のように、袋１を開封してから中身を食べ終わるまでを片手で行えるため、非常に簡単に且つ、場所や時間を選ばず食事を行うことができる。また、片手で保持できる程度の大きさであることから持ち運びにも優れるが、中に詰める食品２の量が少なくなる。その分、食品２の種類を増やすことで、ピクニックなど野外での食事が想定される場合、一回の食事で様々な種類の食品持ち寄って味わうことができるため、食事の楽しさがより一層増す。
また、中に詰められる食品２の量がある程度少ないことで、小腹が空いた時など空腹時以外において食べる量を調節しやすくなる。
【００１１】
本実施形態例では、片手に収まる程度の大きさとしているが、片手で保持できる程度であれば大きくしても小さくしてもよい。しかしながら、袋の大きさが大きくなると食品が途中で切れることで出すのが難しくなったり、食品がこぼれたりする虞がある。逆に小さければ、食品の量はより少なくなり、食べた際の満足感も得にくくなる。一方、本実施形態例ほどの大きさとすれば、それらの虞は少なくなるに加えて、子供の小さな手であっても片手で食べることができるため、この大きさが最適なものとなる。
中に詰める食品は汁気を伴わない固形状の食品であればどんなものでもよく、例えば麺類であれば焼きそば、あるいは、おにぎり代わりにご飯を詰めてもよい。
【符号の説明】
【００１２】
１  袋
２  汁気を伴わない固形状の食品
４  開封口
【図１】
0003217855.tif 000003
【図２】
0003217855.tif 000004
(57)【要約】      （修正有）【課題】クッションを連結し、クッション以外の使用方法、抱き枕等に使用できるクッションを提供する。【解決手段】円柱状クッションの上下円形部に、スナップボタンを取付けることにより、クッション同士を連結し、抱き枕等の様々な用途に使用できる。【選択図】図５
0003217842.tif 000002
【実用新案登録請求の範囲】
【請求項１】
複数の柱状のクッションの上面又は底面に留め具を取付け、この留め具により上記クッションを上下又は左右に、連結できる事を可能に構成したことを特徴とするクッション。
【考案の詳細な説明】
【技術分野】
【０００１】本考案は、柱状クッションに留め具を取付けることにより、複数連結可能にしたクッションに関するものである。
【背景技術】
【０００２】通常、クッションは単体で単体での使用方法しかなく、複数を連結して様々な使用方法に使用できるクッションは無かった。
【先行技術文献】
【特許文献】
【０００３】
【特許文献１】実開昭５８−０９５７５８
【考案の概要】
【考案が解決しようとする課題】
【０００４】クッション単体は頭、背中、膝等の体の部分に当て使用するものであったが、抱き枕等とは異なり兼用が出来なかったが、本考案クッションを連結することにより、クッションや抱き枕等の様々な用途に使用し、クッション以外に使用出来るものは無かった。
【課題を解決するための手段】
【０００５】柱状クッションの上面、底面にスナップボタンを取り付ける部分を設け、クッションを上下、左右等に連結可能にし、クッション単体だけでなく、抱き枕等の様々な用途に使用でき、使用目的に連結方法を変えられるるクッションである。
【考案の効果】
【０００６】上記の手段をとることにより、クッションを様々な用途に使用することで優れたアイテムとなる。
【図面の簡単な説明】
【０００７】
【図１】本考案の円形部
【図２】スナップボタンＡ・Ｂ
【図３】スナップボタンの配置図
【図４】図３の１−１と２−１、１−２と２−２、１−３と２−３  １−４と２−４を結合しクッション同士を連結したもの
【図５】実施例
【考案を実施するための形態】
【０００８】図面や符号を使ってこの作り方を説明する。
図１は円柱状の上下、円形部４箇所にテープを使用しスナップボタンを取付けている。
【０００９】図２はスナップボタン２種（凹凸）である。
【００１０】図３は連結前のスナップボタン配置である。
【００１１】図４は図３を連結したものである。
【実施例】
【００１２】図５は連結可能な実施例である。
【符号の説明】
【００１３】１−１  柱状クッション底面端部に取付けた留め具
１−２  柱状クッション底面端部に取付けた留め具
１−３  柱状クッション底面端部に取付けた留め具
１−４  柱状クッション底面端部に取付けた留め具
２−１  柱状クッション上面端部に取付けた留め具
２−２  柱状クッション上面端部に取付けた留め具
２−３  柱状クッション上面端部に取付けた留め具
２−４  柱状クッション上面端部に取付けた留め具
【図１】
0003217842.tif 000003
【図２】
0003217842.tif 000004
【図３】
0003217842.tif 000005
【図４】
0003217842.tif 000006
【図５】
0003217842.tif 000007
(57)【要約】      （修正有）【課題】種々のサイズのレジ袋・ポリ袋に対応して間隔を調整し、使用ができる収納袋スタンドを提供する。【解決手段】収納袋７と袋を保持するスタンドＳとから構成されている。スタンドは少なくとも左右一対で構成されている。スタンドは着座面に載置される基板部と基板部から立設される支柱部と、支柱部の上端部から直交方向に延びる水平棒部に袋を係止する２個のクリップを備える。クリップにて袋を保持すると同時に袋を開口し、挿入物を入れやすくする。【選択図】図２
0003217831.tif 000002
【実用新案登録請求の範囲】
【請求項１】
収納袋と、該収納袋を保持するスタンドとから構成された収納袋スタンドであって、該スタンドは、着座面に載置される基板部と該基板部から立設される支柱部と、該支柱部の上端部から直交方向に延びる水平棒部と、該、水平棒部に取り付けられた、係止部とから構成され、このスタンドは少なくとも左右一対で構成されると共に、前記クリップによって、前記収納袋が保持されていることを特徴とする収納袋スタンド。
【考案の詳細な説明】
【技術の分野】
【０００１】  本案は収納袋に、買物等をしての物品を一時、入れて置いたり、家庭用のゴミなどを収納する為のスタンドを設け、前記の物を挿入しやすくしてくれる為のものである。
【技術の背景】
【０００２】  従来の収納袋スタンドは枠組み、骨組み等にて構成され、収納袋を保持或いは掛止するものが多く見受けられる。
【考案の概要】
【考案が解決しようとする課題】
【０００３】  従来の収納袋スタンドは、枠、骨組み等にて構成されているため袋の大きさがスタンドに合う物を、選んだり、探したりする必要がある。【０００４】  現在、顕著に排出量が多いのが、プラスチックゴミである。既存の枠組み等のスタンドでは容量が間に合わない場合が多く見受けられる。【０００５】  日本家屋では狭い炊事場も多く、既存のスタンドは一部、設置出来ない場合もあり得る。
【課題を解決する為の手段】
【０００６】  収納袋と該収納袋を保持するスタンドとから構成された収納袋スタンドであって、該スタンドは、着座面に載置される基板部と該基板部から立設される支柱部と、該支柱部の上端部から直交方向に延びる水平棒部と、該水平棒部に取り付けられた、係止部とから構成され、このスタンドは少なくとも左右一対で構成されると共に、前記クリップによって、前記収納袋が保持されていることを特徴とする収納袋スタンド。
【考案の効果】
【０００７】  収納の為の袋は、レジ袋・ポリ袋等有るが、又多種サイズがある、収納するのに袋を保持するスタンドが各々間隔を調節してくれてどのサイズの袋でも使用が可能である。
【０００８】  現在、排出量の多いのがプラスチックゴミであるが、量が多くても、左右一対で構成されているスタンドにて袋の大きさに応じて、２基のスタンドの距離の調節で的確に保持してくれ大容量でも容易である。
【０００９】  収納袋スタンドの設置場所が狭い時等は、必要最小限度の収納袋を使える。
【図面の簡単な説明】
【００１０】
【図１】本考案の実施例を示す、収納袋スタンドの左右一対で構成されるうちの一基のスタンドの斜視図である。
【図２】本考案の実施例を示す、小サイズの収納袋を保持した斜視図である。
【図３】本考案の実施例を示す、大サイズの収納袋を保持した斜視図である。
【考案を実施するための形態】
【実施例】
【００１１】  本考案の収納袋スタンドＳ、は図１、〜  図３、に示すように収納袋７，８、とこの収納袋７，８、を保持するスタンドＳ，とから構成されている。この収納袋７，８、は、スーパーや店等で買物用として使われるレジ袋・買い物袋等、また主に業務用として使用される大容量のポリ袋等で構成されている。【００１２】  前記スタンドＳ、は床面等の着座面に載置される基板部１、と、この基板部１、から立設される丸い支柱部４、と、この支柱部４、の上端部から直交方向に延びる丸い水平棒部５、と、該水平棒部に取り付けられた係止部としてのクリップ同士６，６、とから構成されている。【００１３】  そして、このスタンドＳ，は左右一対で構成されている。前記スタンドＳ，の前記基板部１、は、Ｙ字形状とされており、このＹ字形状の二又部分が残りの一本部分より長く形成されて、この長い二又部分がそれぞれ対向する方向に向かい合わせで、設置される。
スタンドＳ，は軽量にできているが、小さめの袋９、の場合に袋の底面が着座面から浮いて離れて袋に重さが有っても、前記、基板部１、の長めの二又部分が踏ん張り、スタンドＳ，は前のめりせず、安定を保つてくれている。【００１４】  前記スタンドＳ，に取り付けられている係止部としてのクリップ６，６、は直交方向に延びる水平棒部５、にフレキシブルに嵌入されて、袋７，８，９、のサイズに応じてクリップ６，６、同士の間隔を調節して任意の袋７，８，９、を保持する事ができる。【００１５】  収納袋スタンドＳ，は袋７，８，の使い始めの時に特に、有効に機能してくれる。すなわち、袋７，８，の挿入口を開口してくれ、又、開口部の周囲に立ち上がりを作って挿入物を入れやすくしてくれる。【００１６】  現在、多量の排出の顕著なのがプラスチックゴミである。家庭により多量に排出し大容量の袋８、が必要である。既存のスタンドの枠組み、骨組み形状では挿入量があまり期待できない。その点では、本考案のスタンドＳ、は独立した２基一対で構成されたスタンドの間隔の調節が自在なので有効に活用出来る。
【符号の説明】
【００１７】１、基板部
２、支柱支持突起棒
３、支柱固定ボルト
４、支柱部
５、水平棒部
６、クリップ
７、収納袋・小サイズ
８、収納袋・大サイズ
９、収納袋・特小サイズ
Ｓ，収納袋スタンド
【図１】
0003217831.tif 000003
【図２】
0003217831.tif 000004
【図３】
0003217831.tif 000005
(57)【要約】      （修正有）【課題】これまでに存在していた大根漬けにチーズを合わせてなる加工食品にさらに肉加工品を組み合わせ、これまでに存在していない大根漬けを主材料とした加工食品を提供する。【解決手段】一対のスライス大根漬け１、２と、スライス大根漬け１、２の間に挟まれたスライスした肉加工品３と、スライス大根漬け１、２およびスライスした肉加工品３との間に挟まれたチーズ４とを含む。スライス大根漬け１、２およびチーズ４は、燻煙処理される。【選択図】図２
0003217840.tif 000002
【実用新案登録請求の範囲】
【請求項１】
一対のスライス大根漬けと、前記スライス大根漬けの間に挟まれたスライスした肉加工品と、前記スライス大根漬けおよび前記スライスした肉加工品との間に挟まれたチーズとを含むことを特徴とする大根漬け加工食品。
【請求項２】
前記スライス大根漬けおよび前記チーズは、燻煙処理されることを特徴とする請求項１記載の大根漬け加工食品。
【請求項３】
前記チーズは、隣接する前記スライス大根漬けを介してその外側から視認可能であることを特徴とする請求項１記載の大根漬け加工食品。
【請求項４】
前記肉加工品は、ベーコンであることを特徴とする請求項１記載の大根漬け加工食品。
【考案の詳細な説明】
【技術分野】
【０００１】本考案は大根漬けを用いた加工食品に関するものである。
【背景技術】
【０００２】従来、いぶり大根漬けにチーズを組み合わせた加工食品は存在するが、前記加工食品に肉加工品を組み合わせた加工食品は出現していない。
【考案の概要】
【考案が解決しようとする課題】
【０００３】昔から伝承されてきたいぶり大根漬物は、近年、若者の漬物離れにより消費は低迷状態にある。昔ながらのいぶり大根漬物を使用し若者が好む加工食品を考案し提供するものである。また、大根漬けにチーズを合わせてなる加工食品にさらに肉加工品を組み合わせ、これまでに存在していない大根漬けを主材料とした加工食品を提供するものである。
【課題を解決するための手段】
【０００４】  この考案は、一対のスライス大根漬けと、前記スライス大根漬けの間に挟まれたスライスした肉加工品と、前記スライス大根漬けおよび前記スライスした肉加工品の間に挟まれたチーズと、を含むことを特徴とする大根漬け加工食品に関する。【０００５】  前記スライス大根漬けおよび前記チーズは、燻煙処理されることを特徴とする。【０００６】  前記チーズは、隣接する前記スライス大根漬けを介してその外側から視認可能であることを特徴とする。【０００７】  前記肉加工品は、ベーコンであることを特徴とする。【０００８】
【考案の効果】
【０００９】誰もが口にした経験のあるハンバーガーに見立てるという発想は、漬物からは想像できない新しい感覚のものであり、老若男女問わず子供から大人まで美味しく味わえるいぶり大根漬けを主材料とした加工食品の新たな形態を得る。パリパリとしたいぶり大根漬けの食感に、チーズのなめらかな口当たりと、ベーコンの噛み応えの良さと風味を一度に味わえるように考えた結果得られた加工食品である。
【図面の簡単な説明】
【００１０】
【図１】本考案の大根漬け加工食品を表した図である。
【図２】図１の分解図である。
【図３】図１の断面を表した図である。
【考案を実施するための最良の形態】
【００１１】  図１、図２および図３を参照しながら本考案の実施例について説明する。【００１２】  大根漬け加工食品１０は、一対のスライス大根漬け１，２と、スライス大根漬け１，２の間に挟まれたスライスした肉加工品３と、スライス大根漬け１およびスライスした肉加工品３の間に挟まれたチーズ４と、を含む。スライス大根漬け１，２およびチーズ４は、燻煙処理される。このように燻製処理した大根漬けとチーズとを用いることにより、大根漬け加工食品１０を食した時の風味を豊かにし、全体的な一体感を生み出すことができる。肉加工品３として、ベーコンを用いる。ベーコンを用いる理由として、見た目が良く、ほどよい油脂と塩味で旨味が増す。【００１３】  チーズ４は、隣接するスライス大根漬けを介してその外側から視認可能としている。具体的には、いぶり大根漬けを２．４ｍｍの輪切り状にスライスする。ベーコンは３．５ｍｍ、スモークチーズは２．５ｍｍにそれぞれスライスする。スライス大根漬け１の外側からチーズ４が見えることによって、見ただけで食欲をそそる効果を期待することができる。
生の大根よりも大根漬けにしたほうが透明度が上がり、さらにはチーズやベーコンと密着しやすくなりまとまりが出る。【００１４】次に、それらを、いぶり大根漬け・ベーコン・スモークチーズ・いぶり大根漬けの順に下から上に重ねていく。ハンバーガーのようにすることで食べやすくなり、味の一体感が得られ、一口でいろんな味が楽しめる。また、若者にも受け入れられやすい。【００１５】  この実施形態において、スライス大根漬けを２．４ｍｍの厚さにしているが、１．０〜３．０ｍｍとすることができる。１．０ｍｍよりも薄い場合には、スライス大根漬けのぱりぱりとした食感が得られにくく、３．０ｍｍよりも厚い場合には、チーズ４を外側から視認しにくくなる。肉加工品３としては、ベーコンのほか、ハムやレバーを原料とした加工品を用いることができる。
【符号の説明】
【００１６】１  いぶり大根漬け
２  いぶり大根漬け
３  肉加工品
４  スモークチーズ
【図１】
0003217840.tif 000003
【図２】
0003217840.tif 000004
【図３】
0003217840.tif 000005
(57)【要約】      （修正有）【課題】夜行性の害鳥から農作物等を守る有害鳥獣追払い装置を提供する。【解決手段】レーザー光線を照射するレーザーポインター１、レーザーポインター１を所定の角度に水平に振る首振りモーター２、レーザーポインター１や首振りモーター２の動作時間の調整するタイマー３、レーザーポインター１、首振りモーター２、タイマー３に電力を供給するバッテリー５で構成した機器で、レーザー光線を所定の時間間隔で照射すると共に所定の角度に水平に振ることにより有害鳥類を追い払う。【選択図】図１
0003217837.tif 000002
【実用新案登録請求の範囲】
【請求項１】
レーザー光線を照射するレーザーポインター、レーザーポインターを所定の角度に水平に振る首振りモーター、レーザーポインターや首振りモーターの動作時間の調整するタイマー、レーザーポインター、首振りモーター、タイマーに電力を供給するバッテリーで構成した機器で、レーザー光線を所定の時間間隔で照射すると共に所定の角度に水平に振ることにより有害鳥類を追い払う有害鳥獣追払い装置。
【考案の詳細な説明】
【技術分野】
【０００１】  本考案は種蓮根の植え付け時、夜間の鴨の食害から守るため、レーザー光線を照射し、夜行性の害鳥から農作物等を守る有害鳥獣追払い装置に関するものである。
【背景技術】
【０００２】  種蓮根を植え付けた圃場（３月〜４月頃）では夜間鴨による蓮根の新芽、芋を掘り返して食べる食害が起こる。
その為、植え付けた種蓮根の上部をポリフィルムシートで覆い、圃場全域にテグスを張ることを同時に行ってきた。その圃場は２町部〜４町部に及ぶ。その為、時間と手間が非常に厳しく、重労働になっていた。
【考案の概要】
【考案が解決しようとする課題】
【０００３】  膝まで達する圃場内で種蓮根の植え付けをする。そして従来の害鳥対策として植え付けた種蓮根の上をポリフィルムシートで覆い、更に圃場全体にテグスを張りめぐらす。その後、種蓮根が定着すると必要がなくなるのでテグス、ポリフィルムシートを取り外す。その作業を面積２町部〜４町部行う。これが非常に重労働である。
【課題を解決するための手段】
【０００４】  全体を見渡せる圃場の片隅に本体を圃場から約３０〜５０ｃｍ高さに設置し、本体に内蔵されているタイマーにより定期的（約３０分）間隔で数秒間（約５秒）レーザーポインターを照射しながら本体に内蔵しているモーターにより約９０°水平に旋回する。
【考案の効果】
【０００５】  従来のテグス、ポリフィルムシートの覆いでは夜間、鴨がテグスの間を掻い潜って圃場に侵入し、潜水して被害を受けた例もあった。本有害鳥獣追払い装置ではレーザー光線の残像がテグスの役割をし、レーザーポインターを振ることによりテグスが近寄ってくると鴨が誤認識し、鴨が圃場に近寄らなくなった。
【図面の簡単な説明】
【０００６】
【図１】有害鳥獣追払い装置全構成図
【図２】設置図
【考案を実施するための形態】
【０００７】  全体を見渡せる圃場の片隅に本体４を圃場の地面上から約３０〜５０ｃｍの高さに設置し、本体４に内蔵されているタイマー３により一定時間（約３０分）間隔で数秒間（約５秒）にレーザーポインター１を２往復照射しながら本体に内蔵しているモーター２により約９０°水平に旋回する。
【符号の説明】
【０００８】１レーザーポインター
２モーター
３タイマー
４本体
５バッテリー
１１設置高さ（地面より３０〜５０ｃｍ）
１２レーザー光線
１３旋回角度（約９０°）
【図１】
0003217837.tif 000003
【図２】
0003217837.tif 000004